【手続補正書】
【提出日】平成19年8月8日(2007.8.8)
【手続補正１】
【補正対象書類名】明細書
【補正対象項目名】発明の名称
【補正方法】変更
【補正の内容】
【発明の名称】画像形成装置及びカートリッジ
【手続補正２】
【補正対象書類名】明細書
【補正対象項目名】特許請求の範囲
【補正方法】変更
【補正の内容】
【特許請求の範囲】
【請求項１】  少なくとも、静電潜像が形成される感光体と、前記感光体を帯電させる帯電手段と、前記感光体上に形成された静電潜像を現像するための現像手段と、情報を記憶するための記憶媒体とを一体にユニット化したカートリッジを、着脱自在に装着可能な画像形成装置であって、
前記感光体を露光する露光手段と、
前記感光体の使用量を検知する手段と、を有し、
前記記憶媒体には前記感光体の使用量と、装着される各々のカートリッジに固有の前記感光体の使用量閾値とを記憶しており、前記感光体の使用量が前記閾値に達したら前記露光手段の露光条件を変更する制御を行うことを特徴とする画像形成装置。
【請求項２】  前記感光体の使用量は、前記感光体の回転時間と前記帯電手段に電圧が印加された時間とのそれぞれに重み付けを行なって計算された値であることを特徴とする請求項１に記載の画像形成装置。
【請求項３】  前記カートリッジに固有の前記感光体の使用量閾値情報とは、カートリッジ製造時にカートリッジの個々の特性に応じて前記記憶媒体に書き込まれる情報であることを特徴とする請求項１または２に記載の画像形成装置。
【請求項４】  前記カートリッジの個々の特性とは、前記感光体の製造ロット、前記帯電手段の電気的な特性値、または、前記感光体に当接するクリーニングブレードの当接圧であることを特徴とする請求項３に記載の画像形成装置。
【請求項５】  前記露光条件は、露光光量であることを特徴とする請求項１乃至４のいずれか一項に記載の画像形成装置。
【請求項６】  前記記憶媒体は、前記使用量閾値情報と、前記露光条件との対応テーブルを有することを特徴とする請求項１乃至５のいずれか一項に記載の画像形成装置。
【請求項７】  少なくとも静電潜像が形成される感光体と、前記感光体を帯電させる帯電手段と、前記感光体上に形成された静電潜像を現像するための現像手段と、情報を記録するための記憶媒体とを一体にユニット化したカートリッジであって、前記感光体を露光する露光手段と、前記カートリッジの使用量を検知する手段とを有する画像形成装置本体に着脱可能なカートリッジにおいて、
前記記憶媒体には前記感光体の使用量と、装着される各々のカートリッジに固有の前記感光体の使用量閾値とを記憶しており、前記感光体の使用量と前記使用量閾値とは前記露光手段の露光条件を変更するための情報であって、前記感光体の使用量が前記使用量閾値に達したら前記露光手段の露光条件が変更されることを特徴とするカートリッジ。
【請求項８】  前記感光体の使用量は、前記感光体の回転時間と前記帯電手段に電圧が印加された時間とのそれぞれに重み付けを行なって計算された値であることを特徴とする請求７に記載のカートリッジ。
【請求項９】  前記カートリッジに固有の前記感光体の使用量閾値情報とは、カートリッジ製造時にカートリッジ個々の特性に応じて書き込まれる情報であることを特徴とする請求項７または８に記載のカートリッジ。
【請求項１０】  前記カートリッジの個々の特性とは、前記感光体の製造ロット、前記帯電手段の電気的な特性値、または、前記感光体に当接するクリーニングブレードの当接圧であることを特徴とする請求項９に記載のカートリッジ。
【請求項１１】  前記露光条件は、露光光量であることを特徴とする請求項７乃至１０のいずれか一項に記載のカートリッジ。
【請求項１２】  前記記憶媒体は、前記使用量閾値情報と、前記露光条件との対応したテーブルを有することを特徴とする請求項７乃至１１のいずれか一項に記載のカートリッジ。
【手続補正３】
【補正対象書類名】明細書
【補正対象項目名】０００１
【補正方法】変更
【補正の内容】
【０００１】
【発明の属する技術分野】
本発明は、一般には、電子写真方式を用いた画像形成装置、及び、この画像形成装置本体に装着可能なカートリッジ、すなわち、プロセスカートリッジ、カートリッジ化された現像装置に関する。
【手続補正４】
【補正対象書類名】明細書
【補正対象項目名】００１３
【補正方法】変更
【補正の内容】
【００１３】
従って、本発明の目的は、一般には専用のセンサなどを設けることなく、簡易かつ安価な構成で、耐久変動の少ない高画質画像を得ることのできる画像形成装置、及び、画像形成装置に着脱可能なカートリッジを提供することである。
【手続補正５】
【補正対象書類名】明細書
【補正対象項目名】００１４
【補正方法】変更
【補正の内容】
【００１４】
本発明の他の目的は、カートリッジの正確な使用量に基づいて、最適な露光量を制御することができ、簡易かつ安価な構成で、どのようなカートリッジに対しても、カートリッジの製造公差によるばらつきの少ない、高画質画像を得ることができる画像形成装置、及び、画像形成装置に着脱可能なカートリッジを提供することである。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
【課題を解決するための手段】
上記目的は本発明に係る画像形成装置及びカートリッジにて達成される。要約すれば、第１の本発明は、少なくとも、静電潜像が形成される感光体と、前記感光体を帯電させる帯電手段と、前記感光体上に形成された静電潜像を現像するための現像手段と、情報を記憶するための記憶媒体とを一体にユニット化したカートリッジを、着脱自在に装着可能な画像形成装置であって、
前記感光体を露光する露光手段と、
前記感光体の使用量を検知する手段と、を有し、
前記記憶媒体には前記感光体の使用量と、装着される各々のカートリッジに固有の前記感光体の使用量閾値とを記憶しており、前記感光体の使用量が前記閾値に達したら前記露光手段の露光条件を変更する制御を行うことを特徴とする画像形成装置である。
【手続補正９】
【補正対象書類名】明細書
【補正対象項目名】００１８
【補正方法】変更
【補正の内容】
【００１８】
第２の本発明は、少なくとも静電潜像が形成される感光体と、前記感光体を帯電させる帯電手段と、前記感光体上に形成された静電潜像を現像するための現像手段と、情報を記録するための記憶媒体とを一体にユニット化したカートリッジであって、前記感光体を露光する露光手段と、前記カートリッジの使用量を検知する手段とを有する画像形成装置本体に着脱可能なカートリッジにおいて、
前記記憶媒体には前記感光体の使用量と、装着される各々のカートリッジに固有の前記感光体の使用量閾値とを記憶しており、前記感光体の使用量と前記使用量閾値とは前記露光手段の露光条件を変更するための情報であって、前記感光体の使用量が前記使用量閾値に達したら前記露光手段の露光条件が変更されることを特徴とするカートリッジである。
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
上記各発明における一実施態様によると、前記感光体の使用量は、前記感光体の回転時間と前記帯電手段に電圧が印加された時間とのそれぞれに重み付けを行なって計算された値である。
【手続補正１３】
【補正対象書類名】明細書
【補正対象項目名】００２２
【補正方法】変更
【補正の内容】
【００２２】
上記各発明による他の実施態様によると、前記カートリッジに固有の前記感光体の使用量閾値情報とは、カートリッジ製造時にカートリッジの個々の特性に応じて前記記憶媒体に書き込まれる情報である。また、前記カートリッジの個々の特性とは、前記感光体の製造ロット、前記帯電手段の電気的な特性値、または、前記感光体に当接するクリーニングブレードの当接圧である。
【手続補正１４】
【補正対象書類名】明細書
【補正対象項目名】００２３
【補正方法】変更
【補正の内容】
【００２３】
また、他の実施態様によると、前記露光条件は、露光光量である。また、前記記憶媒体は、前記使用量閾値情報と、前記露光条件との対応テーブルを有する。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】変更
【補正の内容】
【００２５】
【発明の実施の形態】
以下、本発明に係る画像形成装置及びカートリッジを図面に則して更に詳しく説明する。